(57)【特許請求の範囲】
【請求項１】
表示部を有し、映像信号のフォーマットを検出し、標準とされるインターレース方式の所定のフォーマットの映像信号を、前記所定のフォーマットより高画質のフォーマットの映像信号に変換して、変換した映像信号に対応する映像を前記表示部に表示する制御を行い、前記所定のフォーマットより高画質のフォーマットの映像信号を変換せずに、前記映像信号に対応する映像を前記表示部に表示する制御を行う画像表示制御装置に対して、受信信号に含まれる映像信号を出力する映像信号処理装置において、
前記受信信号がデータ放送信号を含むか否かを判断する第１の判断手段と、
前記受信信号の映像信号が前記所定のフォーマットの信号であるか否かを判断する第２の判断手段と、
前記第１の判断手段により前記受信信号が前記データ放送信号を含むと判断され、かつ前記第２の判断手段により前記受信信号の映像信号が前記所定のフォーマットの信号であると判断された場合、前記受信信号の映像信号のフォーマットを、前記所定のフォーマットより高画質のフォーマットのうち、同一走査線数のプログレッシブ方式のフォーマットに変換するとともに、前記受信信号の映像信号の水平画素数および垂直ライン数を間引いて出力し、
前記第１の判断手段により前記受信信号が前記データ放送信号を含まないと判断された場合、前記受信信号の映像信号を、フォーマットの変換および間引きをすることなく出力し、
前記第２の判断手段により前記受信信号の映像信号が前記所定のフォーマットの信号ではないと判断された場合、前記受信信号の映像信号のフォーマットを変換することなく、前記受信信号の映像信号の水平画素数および垂直ライン数を間引いて出力する変換手段と、
前記変換手段により出力された映像信号を、対応するデータ放送の信号に基づく信号と合成する合成手段と
を備えることを特徴とする映像信号処理装置。
【請求項２】
前記第１の判断手段は、ユーザの操作に基づいて指令された指令信号に基づいて、または前記受信信号の映像信号の縮小情報に基づいて、前記受信信号が前記データ放送信号を含むか否かを判別する
ことを特徴とする請求項１に記載の映像信号処理装置。
【請求項３】
表示部を有し、映像信号のフォーマットを検出し、標準とされるインターレース方式の所定のフォーマットの映像信号を、前記所定のフォーマットより高画質のフォーマットの映像信号に変換して、変換した映像信号に対応する映像を前記表示部に表示する制御を行い、前記所定のフォーマットより高画質のフォーマットの映像信号を変換せずに、前記映像信号に対応する映像を前記表示部に表示する制御を行う画像表示制御装置に対して、受信信号に含まれる映像信号を出力する映像信号処理装置の映像信号処理方法において、
前記受信信号がデータ放送信号を含むか否かを判断する第１の判断ステップと、
前記受信信号の映像信号が前記所定のフォーマットの信号であるか否かを判断する第２の判断ステップと、
前記第１の判断ステップの処理により前記受信信号が前記データ放送信号を含むと判断され、かつ前記第２の判断ステップの処理により前記受信信号の映像信号が前記所定のフォーマットの信号であると判断された場合、前記受信信号の映像信号のフォーマットを、前記所定のフォーマットより高画質のフォーマットのうち、同一走査線数のプログレッシブ方式のフォーマットに変換するとともに、前記受信信号の映像信号の水平画素数および垂直ライン数を間引いて出力し、
前記第１の判断ステップの処理により前記受信信号が前記データ放送信号を含まないと判断された場合、前記受信信号の映像信号を、フォーマットの変換および間引きをすることなく出力し、
前記第２の判断ステップの処理により前記受信信号の映像信号が前記所定のフォーマットの信号ではないと判断された場合、前記受信信号の映像信号のフォーマットを変換することなく、前記受信信号の映像信号の水平画素数および垂直ライン数を間引いて出力する変換ステップと、
前記変換ステップの処理により出力された映像信号を、対応するデータ放送の信号に基づく信号と合成する合成ステップと
を含むことを特徴とする映像信号処理方法。
【請求項４】
表示部を有し、映像信号のフォーマットを検出し、標準とされるインターレース方式の所定のフォーマットの映像信号を、前記所定のフォーマットより高画質のフォーマットの映像信号に変換して、変換した映像信号に対応する映像を前記表示部に表示する制御を行い、前記所定のフォーマットより高画質のフォーマットの映像信号を変換せずに、前記映像信号に対応する映像を前記表示部に表示する制御を行う画像表示制御装置に対して、受信信号に含まれる映像信号を出力する処理をコンピュータに行わせるプログラムであって、
前記受信信号がデータ放送信号を含むか否かを判断する第１の判断ステップと、
前記受信信号の映像信号が前記所定のフォーマットの信号であるか否かを判断する第２の判断ステップと、
前記第１の判断ステップの処理により前記受信信号が前記データ放送信号を含むと判断され、かつ前記第２の判断ステップの処理により前記受信信号の映像信号が前記所定のフォーマットの信号であると判断された場合、前記受信信号の映像信号のフォーマットを、前記所定のフォーマットより高画質のフォーマットのうち、同一走査線数のプログレッシブ方式のフォーマットに変換するとともに、前記受信信号の映像信号の水平画素数および垂直ライン数を間引いて出力し、
前記第１の判断ステップの処理により前記受信信号が前記データ放送信号を含まないと判断された場合、前記受信信号の映像信号を、フォーマットの変換および間引きをすることなく出力し、
前記第２の判断ステップの処理により前記受信信号の映像信号が前記所定のフォーマットの信号ではないと判断された場合、前記受信信号の映像信号のフォーマットを変換することなく、前記受信信号の映像信号の水平画素数および垂直ライン数を間引いて出力する変換ステップと、
前記変換ステップの処理により出力された映像信号を、対応するデータ放送の信号に基づく信号と合成する合成ステップと
を含むことを特徴とするコンピュータが読み取り可能なプログラムが記録されている記録媒体。
【請求項５】
表示部を有し、映像信号のフォーマットを検出し、標準とされるインターレース方式の所定のフォーマットの映像信号を、前記所定のフォーマットより高画質のフォーマットの映像信号に変換して、変換した映像信号に対応する映像を前記表示部に表示する制御を行い、前記所定のフォーマットより高画質のフォーマットの映像信号を変換せずに、前記映像信号に対応する映像を前記表示部に表示する制御を行う画像表示制御装置に対して、受信信号に含まれる映像信号を出力する処理をコンピュータに行わせるプログラムであって、
前記受信信号がデータ放送信号を含むか否かを判断する第１の判断ステップと、
前記受信信号の映像信号が前記所定のフォーマットの信号であるか否かを判断する第２の判断ステップと、
前記第１の判断ステップの処理により前記受信信号が前記データ放送信号を含むと判断され、かつ前記第２の判断ステップの処理により前記受信信号の映像信号が前記所定のフォーマットの信号であると判断された場合、前記受信信号の映像信号のフォーマットを、前記所定のフォーマットより高画質のフォーマットのうち、同一走査線数のプログレッシブ方式のフォーマットに変換するとともに、前記受信信号の映像信号の水平画素数および垂直ライン数を間引いて出力し、
前記第１の判断ステップの処理により前記受信信号が前記データ放送信号を含まないと判断された場合、前記受信信号の映像信号を、フォーマットの変換および間引きをすることなく出力し、
前記第２の判断ステップの処理により前記受信信号の映像信号が前記所定のフォーマットの信号ではないと判断された場合、前記受信信号の映像信号のフォーマットを変換することなく、前記受信信号の映像信号の水平画素数および垂直ライン数を間引いて出力する変換ステップと、
前記変換ステップの処理により出力された映像信号を、対応するデータ放送の信号に基づく信号と合成する合成ステップと
を含むことを特徴とするプログラム。
【発明の詳細な説明】
【０００１】
【発明の属する技術分野】
本発明は、映像信号処理装置および方法、記録媒体、並びにプログラムに関し、特に、受信信号がデータ放送信号を含む場合において、画像劣化を抑制し、高画質な表示をすることができるようにする映像信号処理装置および方法、記録媒体、並びにプログラムに関する。
【０００２】
【従来の技術】
図１を参照して、従来のディジタル放送システムについて説明する。
【０００３】
ハイビジョンテレビジョン受像機、あるいは倍速変換テレビジョン受像機を、ディジタルチューナと組み合わせて使用する場合、ディジタルチューナが480Iの放送信号をテレビジョン受像機に出力したとき、テレビジョン受像機は、内蔵する倍速変換機能により、480Iの放送信号を、ハイビジョン信号（例えば、720p,1080I）あるいは倍速信号（例えば、480p,960I）にフォーマット変換し、高画質の画像として出力表示している。
【０００４】
ところで、衛星等を利用したディジタル放送システムにおいては、画面一面に映像信号（動画）のみが表示される放送（通常放送）と、文字や図形のデータ信号を映像信号と組み合わせて表示する、データ放送が存在する。
【０００５】
データ放送時において、映像信号をデータ信号と組み合わせて表示させるように放送するか否かの判断は放送業者に委ねられている。現状、放送業者は、データ放送の多くの番組を、図１Ａに示されるように、文字や図形のデータ信号に、映像信号を混在させて表示させるようにして放送している。このとき、映像信号は、縮小されて表示される（図１の例の場合、映像信号の画面サイズ（水平方向と垂直方向のサイズ）は、通常放送時の１／２とされている）。
【０００６】
【発明が解決しようとする課題】
ところで、データ放送信号は、通常、480I信号として放送される。その結果、データ放送時の映像信号は、ディジタルチューナにおいて、その画面サイズを縮小するための処理が施された後、テレビジョン受像機において、480Iから480pまたは960Iにフォーマット変換される。すなわち、ディジタルチューナで、画面サイズ縮小のため、水平画素数および垂直ライン数が、共に１／２に間引かれてしまった映像信号が、テレビジョン受像機でさらに倍速変換されることになる。
【０００７】
倍速変換のアルゴリズムは、本来、縮小されない標準の画面サイズの480Iの映像信号（720dot×480line）を最適化するものである。このため、縮小された映像信号を倍速変換すると、例えば、図１Ｂに示されるように、斜めの線ａが階段状に表示されてしまうなど画像が劣化する恐れがあった。
【０００８】
さらに、文字や図形のデータ信号を、例えば、960I信号として表示すると、図１Ｂに示されるように、文字ｂにラインフリッカが発生する。また、テレビジョン受像機の上記フォーマット変換（倍速変換機能）は、映像信号を最適化させるものとして設計されているため、データ信号に基づく文字や図形の画像は、図１Ｂに示されるように、エッジｃが強調され過ぎるなど、不自然に表示される恐れがあった。
【０００９】
本発明はこのような状況に鑑みてなされたものであり、データ放送時における、画像の劣化を抑制し、高画質な表示をすることができるようにするものである。
【００１０】
【課題を解決するための手段】
本発明の映像信号処理装置は、受信信号がデータ放送信号を含むか否かを判断する第１の判断手段と、受信信号の映像信号が所定のフォーマットの信号であるか否かを判断する第２の判断手段と、第１の判断手段により受信信号がデータ放送信号を含むと判断され、かつ第２の判断手段により受信信号の映像信号が所定のフォーマットの信号であると判断された場合、受信信号の映像信号のフォーマットを、所定のフォーマットより高画質のフォーマットのうち、同一走査線数のプログレッシブ方式のフォーマットに変換するとともに、受信信号の映像信号の水平画素数および垂直ライン数を間引いて出力し、第１の判断手段により受信信号がデータ放送信号を含まないと判断された場合、受信信号の映像信号を、フォーマットの変換および間引きをすることなく出力し、第２の判断手段により受信信号の映像信号が所定のフォーマットの信号ではないと判断された場合、受信信号の映像信号のフォーマットを変換することなく、受信信号の映像信号の水平画素数および垂直ライン数を間引いて出力する変換手段と、変換手段により出力された映像信号を、対応するデータ放送の信号に基づく信号と合成する合成手段とを備えることを特徴とする。
【００１１】
第１の判断手段は、ユーザの操作に基づいて指令された指令信号に基づいて、または受信信号の映像信号の縮小情報に基づいて、受信信号がデータ放送信号を含むか否かを判別するようにすることができる。
【００１３】
本発明の映像信号処理方法は、受信信号がデータ放送信号を含むか否かを判断する第１の判断ステップと、受信信号の映像信号が所定のフォーマットの信号であるか否かを判断する第２の判断ステップと、第１の判断ステップの処理により受信信号がデータ放送信号を含むと判断され、かつ第２の判断ステップの処理により受信信号の映像信号が所定のフォーマットの信号であると判断された場合、受信信号の映像信号のフォーマットを、所定のフォーマットより高画質のフォーマットのうち、同一走査線数のプログレッシブ方式のフォーマットに変換するとともに、受信信号の映像信号の水平画素数および垂直ライン数を間引いて出力し、第１の判断ステップの処理により受信信号がデータ放送信号を含まないと判断された場合、受信信号の映像信号を、フォーマットの変換および間引きをすることなく出力し、第２の判断ステップの処理により受信信号の映像信号が所定のフォーマットの信号ではないと判断された場合、受信信号の映像信号のフォーマットを変換することなく、受信信号の映像信号の水平画素数および垂直ライン数を間引いて出力する変換ステップと、変換ステップの処理により出力された映像信号を、対応するデータ放送の信号に基づく信号と合成する合成ステップとを含むことを特徴とする。
【００１４】
本発明の記録媒体のプログラムは、受信信号がデータ放送信号を含むか否かを判断する第１の判断ステップと、受信信号の映像信号が所定のフォーマットの信号であるか否かを判断する第２の判断ステップと、第１の判断ステップの処理により受信信号がデータ放送信号を含むと判断され、かつ第２の判断ステップの処理により受信信号の映像信号が所定のフォーマットの信号であると判断された場合、受信信号の映像信号のフォーマットを、所定のフォーマットより高画質のフォーマットのうち、同一走査線数のプログレッシブ方式のフォーマットに変換するとともに、受信信号の映像信号の水平画素数および垂直ライン数を間引いて出力し、第１の判断ステップの処理により受信信号がデータ放送信号を含まないと判断された場合、受信信号の映像信号を、フォーマットの変換および間引きをすることなく出力し、第２の判断ステップの処理により受信信号の映像信号が所定のフォーマットの信号ではないと判断された場合、受信信号の映像信号のフォーマットを変換することなく、受信信号の映像信号の水平画素数および垂直ライン数を間引いて出力する変換ステップと、変換ステップの処理により出力された映像信号を、対応するデータ放送の信号に基づく信号と合成する合成ステップとを含むことを特徴とする。
【００１５】
本発明のプログラムは、受信信号がデータ放送信号を含むか否かを判断する第１の判断ステップと、受信信号の映像信号が所定のフォーマットの信号であるか否かを判断する第２の判断ステップと、第１の判断ステップの処理により受信信号がデータ放送信号を含むと判断され、かつ第２の判断ステップの処理により受信信号の映像信号が所定のフォーマットの信号であると判断された場合、受信信号の映像信号のフォーマットを、所定のフォーマットより高画質のフォーマットのうち、同一走査線数のプログレッシブ方式のフォーマットに変換するとともに、受信信号の映像信号の水平画素数および垂直ライン数を間引いて出力し、第１の判断ステップの処理により受信信号がデータ放送信号を含まないと判断された場合、受信信号の映像信号を、フォーマットの変換および間引きをすることなく出力し、第２の判断ステップの処理により受信信号の映像信号が所定のフォーマットの信号ではないと判断された場合、受信信号の映像信号のフォーマットを変換することなく、受信信号の映像信号の水平画素数および垂直ライン数を間引いて出力する変換ステップと、変換ステップの処理により出力された映像信号を、対応するデータ放送の信号に基づく信号と合成する合成ステップとを含むことを特徴とする。
【００１６】
本発明の映像信号処理装置および方法、記録媒体、並びにプログラムにおいては、受信信号がデータ放送信号を含むと判断され、かつ受信信号の映像信号が所定のフォーマットの信号であると判断された場合、受信信号の映像信号のフォーマットが、所定のフォーマットより高画質のフォーマットのうち、同一走査線数のプログレッシブ方式のフォーマットに変換されるとともに、受信信号の映像信号の水平画素数および垂直ライン数が間引いて出力される。一方、受信信号がデータ放送信号を含まないと判断された場合、受信信号の映像信号が、フォーマットの変換および間引きをすることなく出力され、また、受信信号の映像信号が所定のフォーマットの信号ではないと判断された場合、受信信号の映像信号のフォーマットが変換されることなく、受信信号の映像信号の水平画素数および垂直ライン数が間引いて出力される。そして、出力された映像信号が、対応するデータ放送の信号に基づく信号と合成される。
【００１７】
【発明の実施の形態】
以下、図を参照して本発明の実施の形態について説明する。
【００１８】
図２は、本発明を適用したテレビジョン受像機１の構成例を示している。このテレビジョン受像機１は、ディジタルチューナ２とディスプレイ装置３がそれぞれ独立した装置として構成されており、ディジタルチューナ２とディスプレイ装置３の間は、Ｄ端子で接続されている。
【００１９】
まず、例えば、セットトップボックス（ＳＴＢ）、あるいはセットバックボックス（ＳＢＢ）として構成されるディジタルチューナ２について説明する。Ｆ／Ｅ（Front end）部４は、図示せぬアンテナを介して受信された放送信号を選局、復調し、トランスポートストリーム（以下、ＴＳと称する）としてデマルチプレクサ５に出力する。
【００２０】
デマルチプレクサ５は、供給されたＴＳから、指定されたチャンネルのＰＥＳ(Packetized Elementary Stream)の映像信号、音声信号、データ信号および各信号の情報信号に分離し、その中の映像信号を、MPEG（Moving Picture Experts Group）デコーダ部６に出力し、情報信号をＣＰＵ（Central Processing Unit）７に出力し、データ信号をデータ処理部１１に出力する。なお、音声信号は図示せぬオーディオデコーダ部に出力され、処理される。
【００２１】
MPEGデコーダ部６は、映像信号を、その信号フォーマットに応じて、ベースバンドにデコードし、変換部８に出力する。尚、信号フォーマットは、ＢＳディジタル放送において、大きく分類して、1080I，720p，480pおよび480Iの４フォーマットが定義されている。ここで、数字は走査線の数を表し、Iはインターレース方式を、pはプログレッシブ方式を、それぞれ表す。また、MPEGデコーダ部６は、その映像信号に対する信号フォーマットの情報信号をＣＰＵ７に出力する。
【００２２】
ＣＰＵ７は、ユーザの操作に対応する信号を出力する入力部９からの入力に対応して各部を制御する。また、ＣＰＵ７は、映像信号がデータ放送の映像信号であるか否かを、デマルチプレクサ５から入力された映像信号の情報信号、あるいは入力部９を介して入力されたユーザの指令信号により判断する。さらに、ＣＰＵ７は、MPEGデコーダ部６により入力された映像信号に対する信号フォーマットの情報信号に基づいて、その映像信号の信号フォーマットが480Iであるか否かを判断する。
【００２３】
入力部９は、各種のスイッチ、ボタン、リモートコントローラなどで構成され、ユーザの操作に対応した信号を出力する。例えば、ユーザがデータ放送の受信を指令するために、Dボタンを押すと、データ放送受信のための指令信号がＣＰＵ７に出力される。
【００２４】
変換部８は、MPEGデコーダ部６により入力された映像信号を、ＣＰＵ７からの制御信号に応じて、縮小したり、480Iの信号を480pの信号フォーマットに変換し、合成部１０に出力する。ＣＰＵ７から変換の指示がない場合、変換部８は、入力された映像信号をそのまま、合成部１０に出力する。
【００２５】
グラフィックスジェネレータを含むデータ処理部１１は、ＣＰＵ７からの制御に応じて、デマルチプレクサ５から入力されたデータ信号に基づいて、対応する文字、図形などの映像信号を生成し、合成部１０に出力する。
【００２６】
合成部１０は、変換部８から入力された映像信号と、データ処理部１１より入力された映像信号を、合成し、Ｄ／Ａ変換部１２に出力する。
【００２７】
Ｄ／Ａ変換部１２は、合成部１０より入力された映像信号をアナログ信号に変換し、Ｄ端子によりディスプレイ装置３に出力する。
【００２８】
次に、ディスプレイ装置３について説明する。Ａ／Ｄ変換部１３は、入力されたアナログ信号をディジタル信号に変換する。
【００２９】
ＣＰＵ１４は、入力された信号の信号フォーマットを検出し、その検出結果に基づいてＡ／Ｄ変換部１３を制御する。Ａ／Ｄ変換部１３は、この制御に基づいて、入力された映像信号を、それが480Iのフォーマットの信号であるとき、倍速変換部１５に出力し、480I以外のフォーマット(1080I，720p，480pのフォーマット)の信号であるとき、変換部１６に出力する。
【００３０】
倍速変換部１５は、Ａ／Ｄ変換部１３より入力された480Iの信号を倍速変換し、変換部１６に出力する。倍速変換部１５は、例えば、ＤＲＣ(Digital Reality Creation)（商標）方式により、480Iの信号フォーマットの信号を、480pまたは960Iの信号フォーマットの信号に変換する。変換部１６は、Ａ／Ｄ変換部１３あるいは倍速変換部１５から入力された映像信号を、表示するためのより高精細の信号フォーマット（例えば、1080I）に変換し、調整部１７に出力する。
【００３１】
調整部１７は、変換部１６で変換された信号の画質調整を行い、ディスプレイ１８に出力し、表示させる。
【００３２】
次に、図３のフローチャートを参照して、ディジタルチューナ２の処理を説明する。
【００３３】
Ｆ／Ｅ部４より出力され、デマルチプレクサ５より抽出されたＰＥＳパケットデータは、ＭＰＥＧデコーダ部６に供給され、デコードされる。デコードされた映像信号は変換部８に入力される。
【００３４】
ステップＳ１において、ＣＰＵ７は、変換部８に入力された画像信号で構成されていた受信信号が、データ信号を含むか否かを、デマルチプレクサ５から入力された、対応する映像信号の情報信号、あるいは入力部９を介して入力されたユーザの指令信号により判断する。
【００３５】
情報信号は、対応する受信信号がデータ信号を含む場合、その映像信号の縮小サイズの情報を含んでいる。従って、縮小サイズの情報の有無から、その信号がデータ信号を含むか否かが判断することができる。あるいはまた、入力部９は、リモートコントローラを有し、例えば、ユーザがデータ放送の受信を指令するために、Dボタンを押すと、データ放送受信のための指令信号がＣＰＵ７に出力される。これにより、ＣＰＵ７は、入力された信号がデータ信号を含んでいることを認識する。
【００３６】
従って、ステップＳ１において、ＣＰＵ７は、情報信号に映像信号の縮小サイズがあると判断した場合、あるいはユーザの操作により指令信号を受信した場合、受信、入力された信号は、データ信号を含む信号であると判断し、ステップＳ３に進む。
【００３７】
ステップＳ３において、ＣＰＵ７は、MPEGデコーダ部６により入力された映像信号に対する信号フォーマットの情報信号に基づいて、その映像信号の信号フォーマットが480Iであるか否かを判断し、480Iであると判断した場合、ステップＳ４に進む。
【００３８】
ステップＳ４において、ＣＰＵ７は、変換部８を制御し、信号フォーマットが480Iのデータ放送の映像信号を、その情報信号に含まれる縮小サイズ情報に基づいて、サイズスケーリング（縮小）させると共に、480pの信号フォーマットに変換させる。
【００３９】
さらに、ステップＳ５において、ＣＰＵ７は、データ処理部１１を制御し、変換した映像信号に対応するデータ信号に基づいて、対応する文字、図形などの480pの映像信号を生成させる。
【００４０】
ステップＳ３において、信号フォーマットが480Iではないと判定された場合(480p，720p，または1080Iの場合)、処理は、ステップＳ６に進む。
【００４１】
ステップＳ６において、ＣＰＵ７は、変換部８を制御し、映像信号のフォーマットを変換せずに、サイズスケーリングのみ実行させる。ステップＳ７において、ＣＰＵ７は、データ処理部１１を制御し、データ信号に基づいて、対応するフォーマットの文字、図形などの映像信号を生成させる。
【００４２】
ステップＳ５またはＳ７の処理の後、ステップＳ８において、ＣＰＵ７は、変換部８より処理された映像信号、およびデータ処理部１１より処理された映像信号を合成部１０に合成させ、Ｄ／Ａ変換部１２に出力させる。
【００４３】
ステップＳ１において、情報信号に映像信号の縮小サイズがない、あるいはユーザの指令信号を受けていないと判定された場合（すなわち、この映像信号は通常放送であると判定された場合）、処理は、ステップＳ２に進む。
【００４４】
ステップＳ２において、ＣＰＵ７は、変換部８を制御し、映像信号をスルーさせ、Ｄ／Ａ変換部１２に出力させる。すなわち、通常放送の映像信号（画面サイズが縮小されない映像信号）は、ディジタルチューナにおいて、変換処理されず、そのままの信号フォーマットで、変換部８を素通りし、Ｄ／Ａ変換部１２に出力される。
【００４５】
ステップＳ２またはＳ８の処理の後、ステップＳ９において、ＣＰＵ７は、Ｄ／Ａ変換部１２を制御し、ステップＳ８の処理により出力された映像信号、およびステップＳ２の処理により出力された映像信号を、アナログ信号に変換し、ディスプレイ装置３に出力させる。
【００４６】
ただし、720pの放送信号は、ディスプレイ装置３そのフォーマットに対応していない場合、並びに重畳されたデータ放送の場合、1080I信号に変換されてディスプレイ装置３に出力されることもある。
【００４７】
以上のように、ディジタルチューナ２において、480Iの信号フォーマットのデータ放送の映像信号およびデータ信号のみ、480pの信号フォーマットに変換される。これにより、データ放送の映像信号は、画面上の水平方向と垂直方向のサイズがそれぞれ１／２に縮小されているが、垂直ライン数が480本あるため、後段の変換部１６で変換処理が行われたとしても、垂直解像度は、ほぼ保たれ、斜め線が階段状になるなどの画像劣化を抑制できる。
【００４８】
次に、図４のフローチャートに基づいて、ディスプレイ装置３における変換処理について説明する。尚、説明の便宜上、図３と図４には、その処理が分けて図示されているが、これらの処理は、連続して実行される。
【００４９】
ステップＳ２１において、Ａ／Ｄ変換部１３は、ディジタルチューナ２より入力されたアナログ信号をディジタル信号に変換する。
【００５０】
ＣＰＵ１４は、ステップＳ２２において、Ａ／Ｄ変換部１３に入力された映像信号の信号フォーマットを検出し、480Iの信号フォーマットであるか否かを判断し、480Iの信号フォーマットの映像信号であると判断された場合、ステップＳ２３に進み、Ａ／Ｄ変換部１３を制御し、480Iの映像信号を倍速変換部１５に出力させる。なお、図３のディジタルチューナ２において、480Iの信号フォーマットのデータ放送の映像信号は、480pの信号に変換されているため、倍速変換部１５に入力される480Iの信号フォーマットの映像信号は、もともと、映像信号だけで構成されるもの（通常放送の映像信号(720dot×480line)）である。
【００５１】
ステップＳ２４において、ＣＰＵ１４は、倍速変換部１５を制御し、480Iの映像信号を480pまたは960I（そのいずれかであるかは、ユーザからの指示による）の倍速信号に変換させ、変換部１６に出力させる。
【００５２】
ステップＳ２２において、映像信号が480Iの信号フォーマットではないと判定された場合、ステップＳ２５において、ＣＰＵ１４は、Ａ／Ｄ変換部１３を制御し、映像信号を、倍速変換部１５ではなく、変換部１６に出力させる。
【００５３】
ステップＳ２６において、ＣＰＵ１４は、ステップＳ２４の処理により出力された映像信号、あるいはステップＳ２５の処理により出力された映像信号を、変換部１６を制御し、表示するための信号フォーマット（例えば、1080I）に変換させ、調整部１７に出力させる。
【００５４】
ステップＳ２７において、ＣＰＵ１４は、調整部１７を制御し、変換部１６により変換された映像信号を画質調整させ、ディスプレイ１８に表示させる。
【００５５】
以上のように、ディジタルチューナ２に入力された信号のうち、480Iの信号フォーマットであり、データ信号を含むデータ放送信号の場合、映像信号は、ディジタルチューナ２において、サイズスケーリングと同時に480pの信号フォーマットに変換されるが、ディスプレイ装置３において、倍速変換されない。したがって、図１Ｂに示されるように、斜め線ａが階段状になるような画像の劣化などを抑制することができる。
【００５６】
尚、上記説明では、映像信号の画面サイズの縦と横がそれぞれ１／２のサイズに縮小されるものとしたが、例えば、映像信号の画面サイズが１／２のサイズよりも大きい場合、480pの信号に変換することは、映像信号の画面サイズを拡大することになり、ラインが間引かれることはない。
【００５７】
また、ディジタルチューナ２で受信した信号のうち、480Iの信号フォーマットであり、データ信号を含むデータ放送信号の場合、文字あるいは図形のデータ信号は、入力された信号（720dot×480line）がディジタルチューナ２で480pの映像信号に変換され、ディスプレイ装置３において、倍速変換を行う倍速変換部１５を通らず、変換部１６で周波数変換のみ行われ、表示されているので、480pの信号本来の解像度が保たれる。よって、従来、発生していた、図１Ｂに示されるように、文字ｂのラインフリッカ、あるいは、図１Ｂに示されるように、エッジｃが強調され過ぎるなど、不自然な表示を抑制することができる。
【００５８】
さらに、ディスプレイ装置３において、480Iの信号フォーマットの画面全体に表示される画像の映像信号(720dot×480line)の場合、信号は、倍速変換部１５において、倍速変換されるため、従来通りの最適化された画像が表示される。
【００５９】
図５は、本発明を適用した他のテレビジョン受像機の構成例を示している。このテレビジョン受像機２１は、ディジタルチューナ２２とディスプレイ部２３が一体的に内蔵されているため、Ｄ／Ａ変換およびＡ／Ｄ変換を行う必要がない。この例では、図２のディジタルチューナ２に代わってディジタルチューナ２２、が、また、ディスプレイ装置３に代わってディスプレイ部２３が、それぞれテレビジョン受像機２１を構成している。
【００６０】
ディジタルチューナ２２は、Ｄ／Ａ変換部１２が省かれている点を除いて、その他の構成は、上述した図２のディジタルチューナ２と同様の構成である。ディスプレイ部２３は、受信部２４が追加されている点、およびＡ／Ｄ変換部１３が省かれている点を除いて、上述した図２のディスプレイ装置３と同様の構成である。尚、図５において、図２における場合と対応する部分には対応する符号を付してあり、その説明は繰り返しになるので省略する。
【００６１】
ディジタルチューナ２２の合成部１０は、変換部８から入力された映像信号とデータ処理部１１で変換された映像信号を、合成し、ディスプレイ部２３の受信部２４に直接、出力する。
【００６２】
ディスプレイ部２３の受信部２４は、合成部１０により入力された映像信号をＣＰＵ１４の判断により、倍速変換部１５、あるいは変換部１６に出力する。ＣＰＵ１４は、映像信号の信号フォーマットを検出し、その検出結果を受信部２４に出力する。
【００６３】
以上のように、このテレビジョン受信機２１においては、ディジタルチューナ２２が内蔵されているため、Ｄ／Ａ変換およびＡ／Ｄ変換の必要がなくなり、これにより、図２のテレビジョン受信機１と比較して、Ｄ／Ａ変換およびＡ／Ｄ変換が繰り返されることによる信号劣化を抑制することができる。
【００６４】
図６は、本発明を適用したさらに他のテレビジョン受像機の構成例を示している。このテレビジョン受像機３１は、図２のディジタルチューナ２に代わってディジタルチューナ３２により、また、ディスプレイ装置３に代わってディスプレイ装置３３により、それぞれ構成されている。ディジタルチューナ３２とディスプレイ装置３３は、ＤＶＩ（Digital Visual Interface）で接続されており、図５のテレビジョン受像機２１と同様に、Ｄ／Ａ変換およびＡ／Ｄ変換を行う必要がない。また、ディジタルチューナ３２は、図２のディジタルチューナ２と同様にＳＴＢあるいはＳＢＢとして構成される。
【００６５】
ディジタルチューナ３２は、ＤＶＩ送信部３４が追加されている点、およびＤ／Ａ変換部１２が省かれている点を除いて、その他の構成は、上述した図２のディジタルチューナ２と同様の構成である。ディスプレイ装置３３は、ＤＶＩ受信部３５が追加されている点、およびＡ／Ｄ変換部１３が省かれている点を除いて、上述した図２のディスプレイ装置３と同様の構成である。尚、図６において、図２における場合と対応する部分には対応する符号を付してあり、その説明は繰り返しになるので省略する。
【００６６】
ディジタルチューナ３２の合成部１０は、変換部８から入力された映像信号とデータ処理部１１により変換された映像信号を、合成し、ＤＶＩ送信部３４に出力する。
【００６７】
ＤＶＩ送信部３４は、合成部１０により入力された映像信号を受信された信号のままの信号フォーマットで、アナログ信号に変換せずディジタル信号のまま、ＤＶＩ受信部３５に出力する。
【００６８】
ディスプレイ装置３３のＤＶＩ受信部３５は、ＤＶＩ送信部３４からの映像信号を受信し、ＣＰＵ１４の判断により映像信号を倍速変換部１５、あるいは変換部１６に出力する。ＣＰＵ１４は、放送信号の信号フォーマットを検出し、その検出結果をＤＶＩ受信部３５に出力する。
【００６９】
以上のように、このテレビジョン受信機３１においては、ディジタルチューナ３２とディスプレイ装置３３は、ＤＶＩで接続されており、図５のテレビジョン受像機２１と同様に、Ｄ／Ａ変換およびＡ／Ｄ変換を行う必要がなくなり、これにより、図２のテレビジョン受信機１と比較して、Ｄ／Ａ変換およびＡ／Ｄ変換が繰り返されることによる信号劣化を抑制することができる。
【００７０】
上述した一連の処理は、ハードウェアにより実行させることもできるが、ソフトウェアにより実行させることもできる。この場合、例えば、テレビジョン受信機１，２１，３１は、図７に示されるようなテレビジョン受信機４０により構成される。
【００７１】
図７において、ＣＰＵ（Central Processing Unit）４１は、ＲＯＭ(Read Only Memory)４２に記憶されているプログラム、または、記憶部４８からＲＡＭ（Random Access Memory）４３にロードされたプログラムに従って各種の処理を実行する。ＲＡＭ４３にはまた、ＣＰＵ４１が各種の処理を実行する上において必要なデータなどが適宜記憶される。
【００７２】
ＣＰＵ４１、ＲＯＭ４２、およびＲＡＭ４３は、バス４４を介して相互に接続されている。このバス４４にはまた、入出力インタフェース４５も接続されている。
【００７３】
入出力インタフェース４５には、キーボード、マウスなどよりなる入力部４６、ＣＲＴ(Cathode Ray Tube)，ＬＣＤなどよりなるディスプレイ、並びにスピーカなどよりなる出力部４７、ハードディスクなどより構成される記憶部４８、モデム、ターミナルアダプタなどより構成される通信部４９が接続されている。通信部４９は、図示しないネットワークを介しての通信処理を行う。
【００７４】
入出力インタフェース４５にはまた、必要に応じてドライブ５０が接続され、磁気ディスク５１、光ディスク５２、光磁気ディスク５３、或いは半導体メモリ５４などが適宜装着され、それから読み出されたコンピュータプログラムが、必要に応じて記憶部４８にインストールされる。
【００７５】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７６】
この記録媒体は、図７に示すように、装置本体とは別に、ユーザにプログラムを提供するために配布される、プログラムが記録されている磁気ディスク５１（フレキシブルディスクを含む）、光ディスク５２（CD-ROM(Compact Disk-ReadOnly Memory)，ＤＶＤ(Digital Versatile Disk)を含む）、光磁気ディスク５３（MD(Mini-Disk)（商標）を含む）、もしくは半導体メモリ５４などよりなるパッケージメディアにより構成されるだけでなく、装置本体に予め組み込まれた状態でユーザに提供される、プログラムが記録されているＲＯＭ４２や、記憶部４８に含まれるハードディスクなどで構成される。
【００７７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００７８】
【発明の効果】
以上の如く、本発明の映像信号処理装置および方法、記録媒体、並びにプログラムによれば、受信信号がデータ放送信号を含むと判断され、かつ受信信号の映像信号が所定のフォーマットの信号であると判断された場合、受信信号の映像信号のフォーマットを、所定のフォーマットより高画質のフォーマットのうち、同一走査線数のプログレッシブ方式のフォーマットに変換するとともに、受信信号の映像信号の水平画素数および垂直ライン数を間引いて出力し、受信信号がデータ放送信号を含まないと判断された場合、受信信号の映像信号を、フォーマットの変換および間引きをすることなく出力し、受信信号の映像信号が所定のフォーマットの信号ではないと判断された場合、受信信号の映像信号のフォーマットを変換することなく、受信信号の映像信号の水平画素数および垂直ライン数を間引いて出力し、出力した映像信号を、対応するデータ放送の信号に基づく信号と合成するようにしたので、データ放送時における、画像の劣化を抑制し、高画質な表示をすることができる。
【図面の簡単な説明】
【図１】データ放送の画面構成と従来の画質の劣化を説明する図である。
【図２】本発明を適用したテレビジョン受像機の構成例を示す図である。
【図３】図２のテレビジョン受像機のディジタルチューナの処理を説明するフローチャートである。
【図４】図２のテレビジョン受像機のディスプレイ装置の処理を説明するフローチャートである。
【図５】本発明を適用したテレビジョン受像機の他の構成例を示す図である。
【図６】本発明を適用したテレビジョン受像機の他の構成例を示す図である。
【図７】本発明を適用したテレビジョン受像機の他の構成例を示す図である。
【符号の説明】
１  テレビジョン受像機，２  ディジタルチューナ，３  ディスプレイ装置，７  ＣＰＵ，８  変換部，９  入力部，１１  データ処理部，１４  ＣＰＵ，１５  倍速変換部，１６  変換部，  ２１  テレビジョン受像機，２２  ディジタルチューナ，２３  ディスプレイ装置，３１  テレビジョン受像機，３２  ディジタルチューナ，３３  ディスプレイ装置，
【図１】
0003800505.tif 000002
【図２】
0003800505.tif 000003
【図３】
0003800505.tif 000004
【図４】
0003800505.tif 000005
【図５】
0003800505.tif 000006
【図６】
0003800505.tif 000007
【図７】
0003800505.tif 000008